(57)【特許請求の範囲】
【請求項１】
デジタルハイビジョン（ＨＤ）放送を受信するデジタル放送チューナと、前記デジタル放送チューナからの出力信号の記録再生を制御するハードディスクコントローラ及びＤＶＤコントローラと、デジタルハイビジョン（ＨＤ）信号をデジタル標準（ＳＤ）信号に変換するＨＤ−ＳＤ変換部と、前記ＨＤ−ＳＤ変換部からの出力信号をプログラムストリーム（ＰＳ）形式の信号に変換するＰＳ変換器と、ハードディスク及びＤＶＤに記録できる残容量を前記ハードディスクコントローラ及び前記ＤＶＤコントローラから検出する残容量検出部と、放送番組の管理情報を取得して制御するコンテンツ管理部と、を備え、
前記デジタル放送チューナから出力されたトランスポートストリーム（ＴＳ）形式の信号が、前記ＴＳの形式で前記ハードディスクコントローラにより前記ハードディスクに記録され、
前記デジタル放送チューナから出力されたトランスポートストリーム（ＴＳ）形式の信号が、前記ＨＤ−ＳＤ変換部により前記ＳＤ信号に変換され、さらに、前記ＰＳ変換器で変換された前記ＰＳの形式で前記ＤＶＤコントローラにより前記ＤＶＤに記録され、
前記残容量検出部が、前記ハードディスクに記録できる残容量が無くなったこと又は少なくなったことを検出すると、前記検出の結果に基づいて前記ハードディスクコントローラと前記ＤＶＤコントローラによって、前記デジタル放送チューナからのＴＳ信号を、前記ハードディスクに記録する信号経路から、前記ＨＤ−ＳＤ変換部、前記ＰＳ変換器、前記ＤＶＤコントローラ及び前記ＤＶＤに至る前記ＤＶＤに記録する信号経路に切り替えられて前記ＤＶＤに記録され、
前記コンテンツ管理部は、前記信号経路の切り替え時に記録された前記切り替えの情報に基づいて前記ハードディスクから前記ＤＶＤへのつなぎ採りの再生制御を行う
ことを特徴とする映像・音声信号記録再生装置。
【発明の詳細な説明】
【技術分野】
【０００１】
本発明は、デジタル放送を受信可能な映像・音声記録再生装置に関し、特に、ハードディスク装置とＤＶＤ装置とを複合した映像・音声記録再生装置に関する。
【背景技術】
【０００２】
現在、放送の方式として、高画質・高音質のデジタルハイビジョン放送（ＨＤ放送）と、地上波と同等のデジタル標準放送（ＳＤ放送）がある。これら放送方式におけるＭＰＥＧシステムでは、広範囲なアプリケーションに対応できように２種類の方式が規定されている。１つはプログラムストリーム（以下、ＰＳと称する）であり、１つのストリームの中に唯一つのプログラムを構成している。もう１つはトランスポートストリーム（以下、ＴＳと称する）であり、１つのストリームの中に複数のプログラムで構成されているものである。
【０００３】
また、放送内容を記録する際の記録媒体として、ハードディスク，ＤＶＤ，ビデオテープ等が用いられる。ＤＶＤへの記録システムは、ＤＶＤの互換性を考慮し、ＭＰＥＧシステムとしてＰＳの採用が規格化されている。一方、記録媒体としてのハードディスクは、装置に固定的に設置されるため、記録媒体としての互換性は考慮外であるから、ＰＳかＴＳかが規格化されている訳ではない。
【０００４】
デジタル放送に対応する記録再生装置は、ＨＤＤ装置あるいはＤＶＤ装置の単一装置にデジタルチューナを搭載し、デジタルチューナで特定のＴＳを選択して、特定ＴＳ内の例えば、ＣＨ−Ａ（チャンネルＡ）、ＣＨ−Ｂ、ＣＨ−Ｃのうち１つのチャンネルを抜き出して記録するようになっている。
【０００５】
ハードディスク装置とＤＶＤ装置とを備えた複合装置の従来技術としては、図７に示すように、ＨＤＤコントローラ７３（ハードディスク装置）と、ＤＶＤコントローラ７５（ＤＶＤ装置）とを備え、アナログチューナ７１で選局した映像信号をＰＳ変換器７７でＰＳ形式に変換して、記録再生装置の内部はすべてＰＳで統一して処理するようになっている。即ち、ＰＳ変換器７７でＰＳに変換された信号は、ＰＳ形式でＭＰＥＧシステムの規格通りにＤＶＤ７６に記録され、また、ハードディスク７４もＰＳ形式でＨＤＤコントローラ７３により記録される。
【０００６】
ＤＶＤ７６又はハードディスク７４から再生されたＰＳ形式信号は、ＭＰＥＧＰＳデコーダ７８にてデコードされ、ＯＳＤ（Ｏｎ  Ｓｃｒｅｅｅｎ  Ｄｉｓｐｌａｙ）処理回路７９に出力される。また、図示するように、アナログチューナ７１の他に、ＶＴＲ等からの外部信号が入力されるＡＵＸ入力部７２も備えている。
【０００７】
更に、ＤＶＤ−ＲＡＭ装置とハードディスク装置とを併用した構成となっている複合機において、アナログチューナを通して放送番組を選択し、その後にデジタル信号化して同一フォーマットで両記録媒体に記録することが開示されている（例えば、特許文献１参照）。
【特許文献１】特開２００２−１０９８３１
【発明の開示】
【発明が解決しようとする課題】
【０００８】
上述した図７に示す従来技術及び特許文献１においても、ハードディスク装置とＤＶＤ装置とを備えた複合装置ではあるが、いずれもアナログチューナを搭載した複合装置であり、デジタル放送には対応されておらず、また、装置として同一のストリーム（ＰＳ）を使用しており、複合装置にデジタルチューナを搭載し、デジタル放送を記録することはできなかった。
【０００９】
本発明の目的は、ハードディスク装置とＤＶＤ装置とを備えた複合装置において、ＢＳデジタル放送等のＨＤ放送をハードディスク及びＤＶＤに記録することを可能とするものである。また、ハードディスクに記録された信号を再生しタイムシフト視聴しながらＤＶＤにリアルタイムに記録する機能、ハードディスク及びＤＶＤの記録できる残容量が少なくなった場合に記録を切り替える機能，ハードディスク及びＤＶＤに重複記録されているコンテンツを消去する機能，複合装置の動作状況を把握し省電力化する機能，録画予約番組を最後までハードディスクに記録できる機能を実現し、使い勝手の向上を実現できる装置を提供することにある。
【課題を解決するための手段】
【００１０】
本発明は、デジタルハイビジョン（ＨＤ）放送を受信するデジタル放送チューナと、前記デジタル放送チューナからの出力信号の記録再生を制御するハードディスクコントローラ及びＤＶＤコントローラと、デジタルハイビジョン（ＨＤ）信号をデジタル標準（ＳＤ）信号に変換するＨＤ−ＳＤ変換部と、前記ＨＤ−ＳＤ変換部からの出力信号をプログラムストリーム（ＰＳ）形式の信号に変換するＰＳ変換器と、ハードディスク及びＤＶＤに記録できる残容量を前記ハードディスクコントローラ及び前記ＤＶＤコントローラから検出する残容量検出部と、放送番組の管理情報を取得して制御するコンテンツ管理部と、を備え、
前記デジタル放送チューナから出力されたトランスポートストリーム（ＴＳ）形式の信号が、前記ＴＳの形式で前記ハードディスクコントローラにより前記ハードディスクに記録され、
前記デジタル放送チューナから出力されたトランスポートストリーム（ＴＳ）形式の信号が、前記ＨＤ−ＳＤ変換部により前記ＳＤ信号に変換され、さらに、前記ＰＳ変換器で変換された前記ＰＳの形式で前記ＤＶＤコントローラにより前記ＤＶＤに記録され、
前記残容量検出部が、前記ハードディスクに記録できる残容量が無くなったこと又は少なくなったことを検出すると、前記検出の結果に基づいて前記ハードディスクコントローラと前記ＤＶＤコントローラによって、前記デジタル放送チューナからのＴＳ信号を、前記ハードディスクに記録する信号経路から、前記ＨＤ−ＳＤ変換部、前記ＰＳ変換器、前記ＤＶＤコントローラ及び前記ＤＶＤに至る前記ＤＶＤに記録する信号経路に切り替えられて前記ＤＶＤに記録され、
前記コンテンツ管理部は、前記信号経路の切り替え時に記録された前記切り替えの情報に基づいて前記ハードディスクから前記ＤＶＤへのつなぎ採りの再生制御を行う映像・音声信号記録再生装置である。
【００１３】
また、前記映像・音声信号記録再生装置において、前記ＤＶＤの装着又は非装着を検出するメディア検出部と、デジタル放送を録画予約する予約管理機能を備えたＭＰＵとを備え、前記メディア検出部出力情報及びＭＰＵ出力情報とにより、ハードディスク系統とＤＶＤ系統の動作状況を把握し、非動作のハードディスク系統及び／又はＤＶＤ系統における省電力化を実行するものである。
【００１４】
また、前記映像・音声信号記録再生装置において、前記ハードディスクに記録できる残容量を検出する残容量検出部と、前記デジタル放送チューナから出力されるＴＳ形式の信号をパーシャルＴＳ信号に変換するパーシャルＴＳ変換器と、前記パーシャルＴＳ信号をデジタル標準（ＳＤ）信号に変換するＨＤ−ＳＤ変換器と、録画予約された記録量とハードディスク残容量より記録進捗管理機能を備えたＭＰＵとを備え、前記ＭＰＵの制御に基づいて、前記パーシャルＴＳ変換器及びＨＤ−ＳＤ変換器を介し、又は前記パーシャルＴＳ変換器を介して、前記ハードディスクに記録するものである。
【００１５】
また、映像・音声信号記録再生装置において、前記デジタル放送チューナから出力されたＨＤのＴＳ形式信号をパーシャルＴＳ信号に変換するパーシャルＴＳ変換器と、前記パーシャルＴＳ信号をデジタル標準（ＳＤ）信号に変換するＨＤ−ＳＤ変換器と、録画予約された記録量とハードディスク残容量より記録進捗管理機能を備えたＭＰＵとを備え、前記ＭＰＵの制御に基づいて、前記パーシャルＴＳ変換器及びＨＤ−ＳＤ変換器を介し、又は前記パーシャルＴＳ変換器を介して、前記ハードディスクに記録するものである。
【００１６】
本発明は、ＨＤ放送の受信に際して、ハードディスクに記録するストリーム形式としてＴＳを用い、ＤＶＤに記録するストリーム形式として方式としてＰＳを用いる形式の混在型を採用し、ＨＤ−ＳＤ変換を採用することでＨＤ放送をＤＶＤに記録することができる。また、ＨＤＤからのＴＳ信号をタイムシフト視聴しながら、他方でリアルタイムにＨＤ−ＳＤ変換してＤＶＤにも記録することができる。更に、ＨＤＤ残容量を検出して、入力される映像信号をＨＤＤとＤＶＤとに跨って切れ目無くつなぎ採りを行うことができる。
【発明の効果】
【００１７】
本発明によれば、ＨＤ放送の記録に際して、ハードディスクに記録するストリーム形式としてＴＳを用い、ＤＶＤに記録するストリーム形式としてＰＳを用い、ＨＤ−ＳＤ変換を行うことでＨＤ放送をＤＶＤに記録することができる。
【００１８】
また、ハードディスクからのＴＳ信号をタイムシフト視聴しながら、他方でリアルタイムにＨＤ−ＳＤ変換してＤＶＤにも記録することができる。
【００１９】
また、ハードディスクの残容量を検出して、入力される映像信号をハードディスクとＤＶＤとに跨って切れ目無くつなぎ採りを行うことができる。
【００２０】
また、ハードディスクからＤＶＤへのコピー履歴を管理して、不必要なコンテンツをハードディスクから消去することによって、ハードディスクの記録容量を確保することができる。
【００２１】
また、ハードディスク系統とＤＶＤ系統の動作状況を把握して、一方又は両方の系統の省電力化を図って消費電力を抑制することができる。
【００２２】
また、デジタルチューナから出力されたＴＳのＨＤ信号が最後までハードディスクに記録できないと判断される場合は、信号の記録形態をＨＤのＴＳを部分的ＴＳに変換したり、部分的ＴＳをＳＤに変換して記録することで、最後までハードディスクで記録することができる。
【発明を実施するための最良の形態】
【００２３】
本発明の実施形態に係る映像信号記録再生装置について、図面を参照しながら以下詳細に説明する。図１〜図６は本発明の第１〜第６の実施形態に係る映像信号記録再生装置の全体構成と取り扱う信号形式を示す図である。
【００２４】
ここで、１はデジタルチューナ、２はＡＵＸ入力部、３はハードディスクコントローラ、４はハードディスク、５はＤＶＤコントローラ、６はＤＶＤ（デジタルバーサタイルディスク）、７はＤＥＭＵＸ（デマルチプレクサ）、８はＭＰＥＧＴＳデコーダ、９はＭＰＥＧＴＳエンコーダ、１０はＨＤ−ＳＤ変換器、１１はＰＳ変換器、１２はＭＰＥＧＰＳデコーダ、１３はＯＳＤ処理部、１４はコンテンツ処理部、１５は残容量検出部、１６はコンテンツリスト抽出部、１７はコピー履歴管理部、１８はＰａｒｔｉａｌ  ＴＳ変換器（パーシャルＴＳ変換器）、１９はＨＤ−ＳＤ変換器、２０はＭＰＵ、２１は出力切替、２２は電源管理、２３はメディア検出、２４は操作手段、３０はＭＰＵ（予約管理機能具備）、４０はＭＰＵ（記録進捗管理機能具備）である。
【００２５】
図１に示す本発明の第１の実施形態は、ハードディスクコントローラ３（ハードディスク装置）とＤＶＤコントローラ５（ＤＶＤ装置）を備えた複合装置であって、且つデジタルチューナ１を搭載している映像信号記録再生装置である。デジタルチューナ１はＴＳ形式のデジタル放送が受信可能であり、或る特定のＴＳを選択すると、この特定ＴＳには放送番組に対応するＣＨ−Ａ（チャンネルＡ），ＣＨ−Ｂ，ＣＨ−Ｃ・・・が含まれている。デジタルチューナ１からの出力信号は、到来する受信電波と同一のデジタルハイビジョン放送（ＨＤ放送）対応のＴＳであり（信号形態の変換処理を要せずに）、このＴＳがそのままの形式でＨＤＤコントローラ３によりハードディスク４に記録される。更に、デジタルチューナ１からの出力信号をＤＥＭＵＸ（ディ・マルチプレクサ）７に入力し、ＤＥＭＵＸ７で特定ＴＳ中の特定チャンネル（例えば、ＣＨ−Ｂ）を分離し、このチャンネルのみをハードディスク４に記録することもできる。
【００２６】
更に、ＤＶＤ６への記録経路について説明する。デジタルチューナ１からの出力信号であるＨＤ放送対応のＴＳは、ＤＥＭＵＸ７によって特定のチャンネルが選択され、この選択されたＴＳがＨＤ−ＳＤ変換器１０でデジタル標準放送（ＳＤ放送）信号に変換される。このＨＤ−ＳＤ変換器１０を設ける意味は、ＤＶＤの方式、種類によってはＨＤ信号がＤＶＤに読み書きできる帯域を超え、ＤＶＤに記録でき得ないことによるものである。ＨＤ−ＳＤ変換器１０の出力信号はＰＳ変換器１１でＰＳ形式の信号に変換され、ＭＰＥＧ規格に合致させ、ＰＳでＤＶＤコントローラ５によりＤＶＤ６に記録される。上述した信号形態の変換と信号経路によって、ＨＤ放送をＤＶＤ６に記録することが可能になる。また、ハードディスク４及び／又はＤＶＤ６に記録すべき映像信号として、デジタルチューナ１からの信号に代えて、例えば、不図示のＶＴＲからＡＵＸ入力部２に入力し、ＭＰＥＧＴＳエンコーダ９でＴＳ形式とした信号を用いても良い。
【００２７】
また、ハードディスク４又はＤＶＤ６に記録された映像信号を再生するには、１つの信号経路として、ハードディスク４に記録されたＴＳ信号は、ハードディスクコントローラ３にて読み出され、ＭＰＥＧＴＳデコーダ８にてデコードされ、ＯＳＤ処理部１３に送られ、また、他の信号経路として、ＤＶＤ６に記録されたＰＳ信号は、ＤＶＤコントローラ５により読み出され、ＭＰＥＧＰＳデコーダ１２にてデコードされ、ＯＳＤ処理部１３に送られて信号処理され、映像信号がモニタ出力される。
【００２８】
また、図１に示す構成にはコンテンツ管理部１４が設けられている。このコンテンツ管理部１４は、ハードディスク４又はＤＶＤ６に記録されるコンテンツ、具体的には、例えば放送番組の管理情報をＴＳ又はＰＳから取得して記憶し制御するものである。このコンテンツ管理部１４は、ハードディスク４に内蔵しても良いし他のメモリでも良い。
【００２９】
このように、第１の実施形態では、ＨＤ放送の受信に際して、デジタルチューナを使用して、ＨＤＤへの記録形式としてＴＳを用い、ＤＶＤへの記録方式としてＰＳを用いる信号形式の混在型であり、ＨＤ−ＳＤ変換を採用することでＨＤ放送をＳＤ信号に変換し、ＤＶＤ６に記録可能とするものである。
【００３０】
ハードディスク４とＤＶＤ６の使用手法について説明すると、ハードディスクは記録容量が大きいこと、ＤＶＤは媒体が交換可能であること等の特性を考慮して、ＨＤ放送をハードディスク４に記録しておき、ハードディスク４の記録残量が無くなったとき又は少なくなったときに（コンテンツ管理部１４で管理できる）、ハードディスク４に記録していた放送番組の残りをＤＶＤ６に記録する。ハードディスク４に一旦記録したが、今後視聴することがないと判断したものは（コンテンツ管理部の管理情報から判断して）、ハードディスク４から消去し、ハードディスク４に空き容量を確保する。その他、しばしば視聴するものはＨＤＤ４に残しておき、たまにしか視聴しないものは、ＤＶＤ６に記録し直してライブラリ化しておく。このように、ハードディスクからＤＶＤに記録し直したり、ハードディスクから消去することによって、ハードディスクの記録容量を確保することができる。
【００３１】
次に、図２に示す本発明の第２の実施形態について説明する。図２の構成の特徴は、図１に示すＤＥＭＵＸとＭＰＥＧＴＳデコーダをそれぞれ２系統（ＤＥＭＵＸ〈１〉７−１、ＤＥＭＵＸ〈２〉７−２、ＭＰＥＧＴＳデコーダ〈１〉８−１、ＭＰＥＧＴＳデコーダ〈２〉８−２）設けることであり、その他のデジタルチューナ１、ハードディスク４、ＤＶＤ６、ＨＤ−ＳＤ変換器１０などの構成要素並びにそれらの接続関係は図１と同様である。図２において丸数字１は明細書で〈１〉、丸数字２は〈２〉で表記する。
【００３２】
図２において、第１の信号経路として、デジタルチューナ１で選択した特定のＴＳ（ＣＨ−Ａ，ＣＨ−Ｂ，ＣＨ−Ｃ等が含まれている）が、ハードディスク４にそのままのＴＳ形式（ＣＨ−Ａ，ＣＨ−Ｂ，ＣＨ−Ｃ等が含まれている）で記録される。この信号経路においてはＤＥＭＵＸとＭＰＥＧＴＳエンコーダは使用されていない。
【００３３】
また、第２の信号経路として、デジタルチューナ１からのＴＳがＤＥＭＵＸ〈１〉（７−１）及びＭＰＥＧＴＳデコーダ〈２〉（８−１）を通り、ＨＤ−ＳＤ変換器１０、ＰＳ変換器１１を介して、例えば、ＣＨ−Ａを除いて他の特定チャンネルをＤＶＤ６に記録する。
【００３４】
また、第３の信号経路として、ハードディスク４に記録されたＴＳを再生し、ＤＥＭＵＸ〈２〉（７−２）及びＭＰＥＧＴＳエンコーダ〈２〉（８−２）を介して、例えばＣＨ−Ａを出力して視聴する。
【００３５】
第２の実施形態の動作を説明すると、ＨＤ放送をデジタルチューナ１で選択し、ＨＤ放送のＴＳをそのままの信号形式でＨＤＤに記録すると同時に、ＤＥＭＵＸ〈１〉７−１にて同一ＴＳ内の特定のチャンネルを分離して、ＨＤ−ＳＤ変換し、ＰＳ変換してＤＶＤ６にも記録する。次に、ハードディスク４に記録されたＴＳを時間間隔をおいて再生し（タイムシフト視聴すべき信号を再生し）、ＤＥＭＵＸ〈２〉７−２でＤＶＤの記録チャンネルとは、異なるチャンネルを分離して視聴する。即ち、タイムシフト視聴するハードディスク４からのＴＳと、ＤＶＤ６に記録する元のストリームは同一のＴＳであるが、同一ＴＳであっても時間差のある内容であることから、また、同一ＴＳ内の別チャンネルであることから、それぞれのＴＳを処理するには２つの系統のＤＥＭＵＸ及びＭＰＥＧＴＳデコーダが必要となるのである。この第２の実施形態の構成によって、ハードディスク４からのＴＳ信号をタイムシフト視聴しながら、他方でリアルタイムにＨＤ−ＳＤ変換してＤＶＤ６に記録するものである。
【００３６】
このように、第２の実施形態では、コンテンツのタイムシフト視聴と、ＤＶＤ６への記録を同時に実現させるために、ＭＰＥＧＴＳデコーダを２系統備え、一方のＭＰＥＧＴＳデコーダをハードディスク４からのタイムシフト視聴用のデコードに使用し、他方のＭＰＥＧＴＳデコーダをＤＶＤ６に記録するためのデコードに使用する。
【００３７】
なお、以上の説明では、ハードディスク４からのタイムシフト視聴するチャンネルと、ＤＶＤ６への記録チャンネルとは異なるチャンネルであって、いわゆるタイムシフト視聴しながら、裏番組をＤＶＤ６に記録する例を記述したが、これに限らず、タイムシフト視聴しながら、同じチャンネルをＤＶＤ６に記録することも当然に可能である。更に、以上の説明では、ＤＶＤ６への記録はデジタルチューナ１からのＴＳ信号をＭＰＥＧＴＳデコーダ〈１〉を通して、リアルタイム記録することを説明したが、これに限らず、ハードディスク４からの再生出力を一方はタイムシフト視聴用にＭＰＥＧＴＳデコーダ〈２〉を使用し、他方はＤＶＤ６への記録用にＤＥＭＵＸ〈１〉及びＭＰＥＧＴＳデコーダ〈１〉を使用することもできる。
【００３８】
次に、図３に示す本発明の第３の実施形態について説明する。図３の構成の特徴は、ハードディスク４及びＤＶＤ６に記録できる残容量をそれぞれのコントローラ３，５から検出する残容量検出部１５と、ＨＤＤコントローラ３，ＤＶＤコントローラ５，コンテンツ管理部１４を制御するＭＰＵ２０とを付加して設けるものであり、その他のデジタルチューナ１、ハードディスク４、ＤＶＤ６、ＨＤ−ＳＤ変換器１０などの構成要素並びにそれらの接続関係は図１と同様である。
【００３９】
図３において、ハードディスク４に記録できる残容量が無くなったとき又は残容量が少なくなると、ハードディスク４の残容量は、ＨＤＤコントローラ３を通して残容量検出部１５で検出される。検出結果はＭＰＵ２０に出力され、ＭＰＵ２０は、ＨＤＤコントローラ３及びＤＶＤコントローラ５を制御し、デジタルチューナ１又はＭＰＥＧＴＳエンコーダ９からのＴＳ信号を、ハードディスク４に記録する信号経路から、ＤＶＤ６に記録する信号経路に切り替え記録する。従って、映像信号記録再生装置に入力される映像信号を切れ目無く、つなぎ採りを行うことができる。ＤＶＤ６への記録経路は、順にＤＥＭＵＸ７、ＭＰＥＧＴＳデコーダ８、ＨＤ−ＳＤ変換器１０、ＰＳ変換器１１、ＤＶＤコントローラ５及びＤＶＤ６である。また、コンテンツ管理部１４には、切り替え時の情報が記録され、再生時にこの情報を用いて再生が制御される。また、ハードディスクからＤＶＤへのつなぎ採りに代えて、ＤＶＤからハードディスクへのつなぎ採りを行い、一連の録画内容として記録することも当然に可能である。
【００４０】
次に、図４に示す本発明の第４の実施形態について説明する。図４の構成の特徴は、ハードディスク４及びＤＶＤ６に記録したコンテンツのコンテンツリスト（放送チャンネル、番組名等）をそれぞれのコントローラ３，５から抽出するコンテンツリスト抽出部１６と、ハードディスク４からＤＶＤ６にコンテンツをコピーした履歴を検出して管理するコピー履歴管理部１７と、ＨＤＤコントローラ３，ＤＶＤコントローラ５及びコピー履歴管理部１７を制御するＭＰＵ２０と、を付加して設けることであり、その他のデジタルチューナ１、ＨＤＤ４、ＤＶＤ６、ＨＤ−ＳＤ変換器１０などの構成要素並びにそれらの接続関係は図１と同様である。コピー履歴管理部１７は、図４の点線枠で囲んだ回路構成においてハードディスク４から入力されてＤＶＤ６へ記録される信号を検出することでコピー履歴情報を取得するものである。
【００４１】
図４において、ハードディスク４とＤＶＤ６に記録したコンテンツをコンテンツリスト抽出部１６で管理する（装着されているＤＶＤのコンテンツリストを抽出）とともに、ハードディスク４からＤＶＤ６にコピーされたコンテンツをコピー履歴管理部１７で管理する。ＭＰＵ２０は、コピー履歴管理部１７より入力されるコピー履歴情報と、コンテンツリスト抽出部１６より入力されるコンテンツリスト情報を比較し、ハードディスク４とＤＶＤ６に重複して記録されているコンテンツを選択し、ＤＶＤに重複して記録されているコンテンツをハードディスク４から消去する。これによって、ハードディスク４の記録容量を確保することができ、新たなＨＤ放送をハードディスク４に記録可能となる。
【００４２】
次に、図５に示す本発明の第５の実施形態について説明する。図５の構成の特徴は、ＤＶＤ６が装着されているか否かを検出するメディア（媒体）検出部２３と、デジタル放送を録画予約する予約管理部を備えたＭＰＵ３０と、録画予約するための操作手段２４と、使用していない回路構成要素の動作停止を実行する電源管理部２２と、ハードディスク４とＤＶＤ６とからの再生出力を切り替える出力切替部２１と、を付加して設けるものであり、その他のデジタルチューナ１、ハードディスク４、ＤＶＤ６、ＨＤ−ＳＤ変換器１０などの構成要素並びにそれらの接続関係は図１と同様である。
【００４３】
図５において、ＭＰＵ３０の制御により、ハードディスク４又はＤＶＤ６からの再生出力をいずれか一方に切り替えてモニタ出力する。例えば、ハードディスク４からの再生出力をモニタする場合、ＭＰＵ３０はハードディスクの再生を検知して電源管理部２２に対し、現時点で不使用のＤＶＤの信号系統である図５の点線枠Ａの動作を停止させる（例えば、電源供給の遮断）。また、メディア検出部１８の検出結果によりＤＶＤ６が不装着であれば、ＤＶＤの信号系統である点線枠Ａの動作を停止させる。更に、録画予約管理で予約した所定時刻までは装置を動作させない場合に、図５の点線枠Ｂであるハードディスク系統の動作を停止させる。どの回路を停止させるかは、装置に与えられた条件、制限によって種々の態様が考えられる。要は、ハードディスク系統とＤＶＤ系統の動作状況を把握して、一方又は両方の系統の電源を停止又は省電力モードとして省電力化して装置全体の消費電力を抑制するものである。図５の構成は、図１の構成を基本としたものであるが、これに限らず図２〜図４の構成に対しても本実施形態は適用可能である。
【００４４】
次に、図６に示す本発明の第６の実施形態について説明する。図６の構成の特徴は、デジタルチューナ１から出力されたＨＤ対応のＴＳ信号を一部のＴＳに変換するＰａｒｔｉａｌ  ＴＳ変換器（パーシャルＴＳ変換器）１８と、パーシャルＴＳ信号をＳＤに変換するＨＤ−ＳＤ変換器１９と、録画予約された番組の記録量とハードディスク残容量とからＨＤＤへの記録進捗管理を行う機能を備えたＭＰＵ４０と、を付加して設けるものであり、その他のデジタルチューナ１、ハードディスク４、ＤＶＤ６、ＨＤ−ＳＤ変換器１０などの構成要素並びにそれらの接続関係は図３と同様である。
【００４５】
図６に示す第６の実施形態の動作を説明すると、デジタルチューナ１で選択されて出力される特定のＴＳ信号は、放送番組ＣＨ−Ａ、ＣＨ−Ｂ、ＣＨ−Ｃのように複数の番組チャンネルを含んでおり、図１の構成では、この複数の番組チャンネルをすべてハードディスク４にそのままのＴＳ形式の信号で記録するものである。本実施形態では、ＭＰＵ４０にて、録画予約された番組の記録量と検出されたハードディスク残容量とに基づいて、複数番組チャンネルを含んだＴＳをそのまま記録した場合に、ハードディスクに格納可能か否かという記録進捗状況を管理して、この管理結果にしたがって、ＴＳ信号の内、特定の番組チャンネル（すべてのチャンネルではなくて、一部のチャンネル（１つ又は複数））を含んだＴＳに変換してこれを記録する、又は一部のチャンネルのＨＤをＳＤに変換して情報量を更に縮小して記録するようにしたものである。
【００４６】
従って、デジタルチューナ１からの出力であるＴＳ信号をハードディスク４に記録している最中においても（記録始めも含めて）、ＭＰＵ４０の進捗管理状況の情報から、記録対象としているＴＳのＨＤ信号が最後までハードディスクに記録できないと判断した場合に、信号の記録形態をＨＤの部分ＴＳに変換し、変換されたＨＤの部分的ＴＳを更にＳＤの部分的ＴＳに変換し、ハードディスクに記録できるようにするものである。Ｐａｒｔｉａｌ  ＴＳ変換器（パーシャルＴＳ変換器）１８やＨＤ−ＳＤ変換器１９を稼働させるか否かは、ＭＰＵ４０の進捗管理状況の情報によって決まる。なお、ＭＰＵ４０は、変換器１８，１９の双方、又はいずれか一方を稼働させる他、ＨＤ−ＳＤ変換器１０も制御する。また、本第６の実施形態は、前述した第３の実施形態の装置にも適用できる。以上説明したように、第６の実施形態によれば、録画予約した番組を最後までハードディスクに記録可能にすることが実現できる。
【図面の簡単な説明】
【００４７】
【図１】本発明の第１の実施形態に係る映像信号記録再生装置の全体構成と取り扱う信号形式を示す図である。
【図２】本発明の第２の実施形態に係る映像信号記録再生装置の全体構成と取り扱う信号形式を示す図である。
【図３】本発明の第３の実施形態に係る映像信号記録再生装置の全体構成と取り扱う信号形式を示す図である。
【図４】本発明の第４の実施形態に係る映像信号記録再生装置の全体構成と取り扱う信号形式を示す図である。
【図５】本発明の第５の実施形態に係る映像信号記録再生装置の全体構成と取り扱う信号形式を示す図である。
【図６】本発明の第６の実施形態に係る映像信号記録再生装置の全体構成と取り扱う信号形式を示す図である。
【図７】従来技術に関する映像信号記録再生装置の全体構成と取り扱う信号形式を示す図である。
【符号の説明】
【００４８】
１  デジタルチューナ
２  ＡＵＸ入力部
３  ハードディスクコントローラ
４  ハードディスク
５  ＤＶＤコントローラ
６  ＤＶＤ（デジタルバーサタイルディスク）
７  ＤＥＭＵＸ（デマルチプレクサ）
７−１  ＤＥＭＵＸ〈１〉
７−２  ＤＥＭＵＸ〈２〉
８  ＭＰＥＧＴＳデコーダ
８−１  ＭＰＥＧＴＳデコーダ〈１〉
８−２  ＭＰＥＧＴＳデコーダ〈２〉
９  ＭＰＥＧＴＳエンコーダ
１０  ＨＤ−ＳＤ変換器
１１  ＰＳ変換器
１２  ＭＰＥＧＰＳデコーダ
１３  ＯＳＤ処理回路
１４  コンテンツ管理部
１５  残容量検出部
１６  コンテンツリスト抽出部
１７  コピー履歴管理部
１８  ＰａｒｔｉａｌＴＳ変換器（パーシャルＴＳ変換器）
１９  ＰａｒｔｉａｌＨＤ−ＳＤ変換器
２０  ＭＰＵ
２１  出力切替
２２  電源管理
２３  メディア検出
２４  操作手段
３０  ＭＰＵ（予約管理機能具備）
４０  ＭＰＵ（記録進捗管理機能具備）
【図１】
0004787723.tif 000002
【図２】
0004787723.tif 000003
【図３】
0004787723.tif 000004
【図４】
0004787723.tif 000005
【図５】
0004787723.tif 000006
【図６】
0004787723.tif 000007
【図７】
0004787723.tif 000008